(57)【特許請求の範囲】
【請求項１】
複数枚のカードが重ねて収納され、カード繰出手段により前記カードが一枚ずつ繰り出される複数組のカセットと、
前記カセット側から繰り出された前記カードを受け取り、該カードに対して所定のデータの読取・記録を行って、前記カードを発行するカード読取・記録装置と、
前記複数組のカセットを移動させ、前記カセットのそれぞれを、前記カード読取・記録装置側に臨むように配置させるカセット移動装置と、
前記カセット内の前記カードの有無を検出する検出装置と、
前記検出装置からの信号に基づいて前記カセット移動装置を作動させる制御部とを備えており、
前記制御部は、前記検出装置にて前記カード読取・記録装置側に臨むように配置された前記カセット内の前記カードが無くなったと検出されると、
前記カセットに隣接する他の前記カセットを前記カード読取・記録装置側に臨むように配置させることを特徴とするカード発行装置。
【請求項２】
前記カセット移動装置は、前記カード発行装置本体に固定されて前記カセットの移動方向に延在するガイド部材と、
前記カセットが固定されて、前記ガイド部材に沿って移動可能に係合した係合部材を有するスライドベースと、
前記カード発行装置本体に軸支されて、前記ガイド部材の延在方向に対して直交する回転軸を有する回転部材と、
該回転部材を回転駆動させる駆動装置と、
一方の端部が前記回転軸からずれた位置で前記回転部材に連結され、他方の端部が前記スライドベースに連結されたクランクロッドとを備えて構成されることを特徴とする請求項１に記載のカード発行装置。
【請求項３】
前記スライドベースには、前記ガイド部材の延在方向に沿って、前記複数組のカセットが隣接して配置されており、
前記ガイド部材の延在方向の両端に位置する２つの前記カセットの各中心位置同士の間の距離が、前記クランクロッドの一方の端部が描く回転軌跡の直径に等しくされていることを特徴とする請求項２に記載のカード発行装置。
【発明の詳細な説明】
【０００１】
【発明の属する技術分野】
本発明は、例えばプリペイドカード等、種々のカードを発行するときなどに用いて好適なカード発行装置に関する。
【０００２】
【従来の技術】
従来、各種プリペイドカードをはじめとする種々のカードを販売する場合、カードを予め内部に収納しておき、例えば購入者がボタンなどを押すことによって、必要枚数のカードが発行されてくるカード発行装置が知られている。
このようなカード発行装置においては、カードの補充時などの操作性を向上させるため、所定枚数のカードをカセットに収め、複数のカセットをカード発行装置に装填する方式のものが知られている。
【０００３】
図６は上述した従来技術の一例によるカード発行装置１を上方から見た簡略図である。このカード発行装置１は、複数、例えば２つのカード繰出装置２ａ，２ｂと、各カード繰出装置２ａ，２ｂに装着されたカセット３ａ，３ｂと、カード搬送装置４と、カード読取・記録装置５と、リジェクトボックス６とを備えて構成されている。
隣接して配置された２つのカード繰出装置２ａ，２ｂは、カード発行装置本体１ａに固定されており、各カセット３ａ，３ｂ内に複数枚収められたカード、例えばＩＣカードを各カード繰出口２Ａ，２Ａから１枚ずつ繰り出すようになっている。
カード搬送装置４は、一方のカード繰出装置２ａとカード読取・記録装置５とによって両側から挟み込まれるように配置されており、隣り合うカード繰出装置２ａ，２ｂの各カード繰出口２Ａ，２Ａに臨むようにして直線移動可能とされている。すなわち、カード搬送装置４は各カード繰出装置２ａ，２ｂから繰り出されるカードを１枚ずつ受け取ってカード読取・記録装置５まで搬送するようになっている。
さらに、カード読取・記録装置５に隣接してリジェクトボックス６が配置されており、カード搬送装置４はリジェクトボックス６のカード取込口６Ａに臨む位置まで直線移動可能とされている。すなわち、カード搬送装置４はカード読取・記録装置５において例えば不良等と判定されて排出されるカードを受け取ってリジェクトボックス６へと搬送するようになっている。
【０００４】
次に、上記構成のカード発行装置１を用いてカードを発行する方法について説明する。
先ず、一方のカセット３ａ内のカードを発行する際には、カード搬送装置４はカード繰出装置２ａの前（図６に示す位置Ｐ１）に移動する。この場合、カード繰出装置２ａとカード読取・記録装置５とは、カード搬送装置４を介して対向して配置されているので、カード繰出装置２ａから繰り出されるカードは、いわばカード搬送装置４を通り抜けるようにして、カード読取・記録装置５へと供給される。
次に、カセット３ａが空となって、カセット３ｂ内のカードを発行する際には、先ず、カード搬送装置４はカード繰出装置２ａの前（図６に示す位置Ｐ１）からカード繰出装置２ｂの前（図６に示す位置Ｐ２）へと移動する。そして、カード繰出装置２ｂから繰り出されるカードを受け取って、カード搬送装置４内に保持する。
次に、カード搬送装置４は、再びカード繰出装置２ａの前（図６に示す位置Ｐ１）へと移動する。そして、カード搬送装置４内に保持しているカードをカード読取・記録装置５へと供給する。
また、カード読取・記録装置５にてカードが例えば不良等と判定されると、このカードはカード読取・記録装置５から排出されてカード搬送装置４に戻される。そして、カード搬送装置４はリジェクトボックス６の前（図６に示す位置Ｐ３）に移動して、リジェクトボックス６にカードを放出する。
【０００５】
【発明が解決しようとする課題】
ところで、上述したようなカード発行装置１では、カセットに収められるカードが磁気カード等ではなく、例えばＩＣカードのように、折り曲げることができないカードであっても、カードは所定の平面内を平行移動して搬送されるだけであるから、搬送途中でカードが損傷することを防ぐことができる。
しかしながら、一方のカセット３ａが空になって、他方のカセット３ｂ内のカードを発行する際には、一枚ずつのカードの発行毎に、カード搬送装置４はカード繰出装置２ａの前（図６に示す位置Ｐ１）とカード繰出装置２ｂの前（図６に示す位置Ｐ２）との間を往復移動する必要がある。このため、カード搬送装置４の往復移動に要する時間だけカードの発行が遅れてしまう恐れがある。
しかも、カード読取・記録装置５にてカードに不良等が検出されると、カード搬送装置４はカード読取・記録装置５から排出されたカードを受け取って、リジェクトボックス６の前（図６に示す位置Ｐ３）に移動する必要があり、より一層、カードの発行が遅れてしまう恐れがある。
【０００６】
また、移動後のカード搬送装置４は、カード繰出装置２ａ，２ｂ、カード読取・記録装置５及びリジェクトボックス６のそれぞれに対する所定の相対位置に精度良く停止する必要があり、この停止位置の精度を確保できない場合には、カード発行装置１の内部にカード詰まり等が発生する恐れがある。ここで、カセット３ｂに収められるカードの枚数が多くなると、カード搬送装置４の移動回数が増大し、毎回の移動に対して停止位置の精度を確保するためには、複雑な構造の移動装置が必要になるという問題が生じる。
しかも、一枚ずつのカードに対してカード搬送装置４を移動させるため、移動装置の耐久性が低下する恐れがあり、故障等の発生頻度が増加してカードを発行する動作の信頼性が低下してしまう恐れがある。
本発明は上記事情に鑑みてなされたもので、一枚毎のカードの発行時間を短縮すると共に、カード詰まり等の不具合の発生を抑制して信頼性を向上し、装置の耐久性を向上させることが可能なカード発行装置を提供することを目的とする。
【０００７】
【課題を解決するための手段】
上記課題を解決して係る目的を達成するために、請求項１に記載の本発明のカード発行装置は、複数枚のカードが重ねて収納され、カード繰出手段により前記カードが一枚ずつ繰り出される複数組のカセットと、前記カセット側から繰り出された前記カードを受け取り、該カードに対して所定のデータの読取・記録を行って、前記カードを発行するカード読取・記録装置と、前記複数組のカセットを移動させ、前記カセットのそれぞれを、前記カード読取・記録装置側に臨むように配置させるカセット移動装置と、前記カセット内の前記カードの有無を検出する検出装置と、前記検出装置からの信号に基づいて前記カセット移動装置を作動させる制御部とを備えており、前記制御部は、前記検出装置にて前記カード読取・記録装置側に臨むように配置された前記カセット内の前記カードが無くなったと検出されると、前記カセットに隣接する他の前記カセットを前記カード読取・記録装置側に臨むように配置させることを特徴としている。
【０００８】
上記構成のカード発行装置によれば、カセット内に収められたカードが無くなるまでカセット移動装置を作動させる必要が無く、例えば一枚ずつのカードの発行毎に、カセットをカード読取・記録装置側に臨むように移動させる必要が無いため、カード発行に要する時間を短縮することができる。しかも、カセットが移動する回数が少ないため、カセットとカード読取・記録装置側との相対位置を精度良く位置決めする作業を、例えばカードの発行毎に頻繁に行う必要が無く、煩雑な手間を省くことができると共に、カセット移動装置に故障等が発生する頻度を低減して、装置の寿命を向上させることができる。
また、上記構成のカード発行装置によれば、カセット内のカードが無くなった時点で、このカセットに隣接する他のカセットがカード読取・記録装置側に臨むように移動させられ、カセットの切替が迅速に行われる。
【０００９】
さらに、請求項２に記載の本発明のカード発行装置では、前記カセット移動装置は、前記カード発行装置本体に固定されて前記カセットの移動方向に延在するガイド部材と、前記カセットが固定されて、前記ガイド部材に沿って移動可能に係合した係合部材を有するスライドベースと、前記カード発行装置本体に軸支されて、前記ガイド部材の延在方向に対して直交する回転軸を有する回転部材と、該回転部材を回転駆動させる駆動装置と、一方の端部が前記回転軸からずれた位置で前記回転部材に連結され、他方の端部が前記スライドベースに連結されたクランクロッドとを備えて構成されることを特徴としている。
【００１０】
上記構成のカード発行装置によれば、駆動装置により回転部材を回転駆動すると、クランクロッドを介して、スライドベースの係合部材がガイド部材に沿った直線往復運動を行う。
このため、複数組のカセットをスライドベースの移動方向に沿って隣接して配置しておくことで、所望のカセットをカード読取・記録装置側に臨むように移動させることができる。
【００１１】
さらに、請求項３に記載の本発明のカード発行装置では、前記スライドベースには、前記ガイド部材の延在方向に沿って、前記複数組のカセットが隣接して配置されており、前記ガイド部材の延在方向の両端に位置する２つの前記カセットの各中心位置同士の間の距離が、前記クランクロッドの一方の端部が描く回転軌跡の直径に等しくされていることを特徴としている。
【００１２】
上記構成のカード発行装置によれば、回転部材を所定の一定速度で回転駆動した場合であっても、スライドベースの直線往復運動の折り返し位置、すなわち、ガイド部材の延在方向の両端に位置する２つのカセットの何れか一方が、カード読取・記録装置側に臨むようにして停止させられる位置近傍では、回転部材が適宜の角度だけ回転する間にスライドベースが直線移動する距離の割合が最も小さくなっており、容易に、カセットの停止位置の精度を向上させることができる。これにより、カセットとカード読取・記録装置との間の所定の相対位置関係にずれが生じることを防止して、例えばカード詰まり等が発生することを抑制することができる。
【００１５】
【発明の実施の形態】
以下、本発明の一実施形態に係るカード発行装置ついて添付図面を参照しながら説明する。
図１は本発明の一実施形態に係るカード発行装置１０を上方から見た簡略図であり、図２は図１に示すカード発行装置１０の側断面図を簡略化して示す図であり、図３は繰出ユニット移動装置１５の内部を透視して示す平面図であり、図４は繰出ユニット移動装置１５の内部を透視して示す側面図である。
本実施の形態によるカード発行装置１０は、複数、例えば２つのカセット１１ａ，１１ｂと、各カセット１１ａ，１１ｂに備えられたカード繰出装置１２ａ，１２ｂと、カード搬送装置１３と、カード読取・記録装置１４と、繰出ユニット移動装置１５と、リジェクトボックス１６と、各カセット１１ａ，１１ｂ内のカードの有無を検出するカード検出器１７，１７と、繰出ユニット移動装置１５の動作を制御する制御部１８とを備えて構成されている。
【００１６】
図１及び図２に示すように、各カセット１１ａ，１１ｂは、例えば直方体状の箱型に形成されており、板状の複数枚のカード、例えばＩＣカードが、各カードの表面或いは裏面を水平方向と平行に位置させ、鉛直方向に積み重ねられて収納されている。そして、各カセット１１ａ，１１ｂの底部には、少なくともカードより大きく形成された開口部が設けられており、各カセット１１ａ，１１ｂ内の最低部に位置するカードから順次、この開口部を介して、下方に配置されたカード繰出装置１２ａ，１２ｂへと供給される。
【００１７】
各カード繰出装置１２ａ，１２ｂは、例えば上部が開口した箱型に形成されており、各カセット１１ａ，１１ｂから供給されるカードを正面１２Ａ側に向けて一枚ずつ押し出すようになっている。
さらに、各カード繰出装置１２ａ，１２ｂの正面１２Ａ，１２Ａにはカード繰出口２３，２３が貫設されている。カード繰出口２３には上部から下方に向かって伸びるゲート部材２４が設けられており、例えばゲート部材２４の下端２４ａから鉛直方向にカードの厚さ一枚分に相当する隙間が形成されている。そして、このカード繰出口２３の隙間から、カード繰出装置１２ａ又はカード繰出装置１２ｂの各正面１２Ａに対向して配置されたカード搬送装置１３へと、カードが一枚ずつ繰り出されるようになっている。
【００１８】
カード搬送装置１３は、カード引込ローラ３１と、カード搬送ローラ３２と、カード保持部材３３とを備えて構成されている。
カード引込ローラ３１では、例えば、各カード繰出装置１２ａ，１２ｂから押し出され、カード受入口２５を介して挿入されたカードの底面が、カード引込ローラ３１の上端部３１ａに当接するようにされている。このため、各カード繰出装置１２ａ，１２ｂから押し出されたカードの先端部がカード引込ローラ３１にさしかかると、この後は、カード引込ローラ３１の回転によってカードがカード搬送装置１３内のカード保持部材３３へと引き込まれるようになっている。
さらに、カード保持部材３３に保持されたカードは、カード搬送ローラ３２の回転によって、カード搬送装置１３の正面１３Ａに貫設されたカード搬送口３４を介して、この正面１３Ａに対向して配置されたカード読取・記録装置１４へと供給されるようになっている。
なお、カード読取・記録装置１４は、例えばカードに所定の情報を記録してカードを発行する。また、例えばカード搬送装置１３の下方にはリジェクトボックス１６が配置されており、カード読取・記録装置１４において例えば不良等と判定されて排出されるカードをカード搬送装置１３を介して受け取る。
【００１９】
図３及び図４に示すように、繰出ユニット移動装置１５は、板状のスライドベース４１と、このスライドベース４１を水平方向で往復移動させる駆動機構４２とを備えて構成されている。
スライドベース４１の上面４１Ａには、複数、例えば２つのカード繰出装置１２ａ，１２ｂが、カードが繰り出される方向に直交する方向に沿って隣接して載置されており、この方向において、スライドベース４１は往復移動可能とされている。
すなわち、スライドベース４１の下方には、スライドベース４１の移動方向と平行に延在するガイドシャフト４２が、カード発行装置本体１０ａに固定されており、スライドベース４１の下面４１Ｂには、このガイドシャフト４２の外周面上に嵌合されて、ガイドシャフト４２に沿って移動可能とされた例えば２つの嵌合部材４３，４３が設けられている。
なお、ガイドシャフト４２の両端部４２ａ，４２ａには、例えばＬ字型の固定部材４４，４４が接続されており、これらの固定部材４４，４４の下部がカード発行装置本体１０ａの底板１０Ａに固定されることで、ガイドシャフト４２が底板１０Ａから所定距離だけ上方に離間した位置に配置されている。
【００２０】
駆動機構４２は、略円板状のクランク歯車５１と、このクランク歯車５１の外周面上に形成された切欠部５１ａを検出するホームポジション検出器５２と、クランクロッド５３と、電動機５４とを備えて構成されている。
クランク歯車５１は、その回転軸５１ｂがカード発行装置本体１０ａの底板１０Ａに回転可能に支持されてガイドシャフト４２の延在方向と底板１０Ａとに直交しており、複数、例えば２つの歯車５５ａ，５５ｂを介して電動機５４により回転駆動されるようになっている。また、クランク歯車５１には、回転軸５１ｂから所定距離だけずれた位置にクランクロッド５３の一端５３ａが連結されている。そして、クランクロッド５３の他端５３ｂは、スライドベース４１の下面４１Ｂに連結されている。
なお、回転軸５１ｂとクランクロッド５３の一端５３ａとの間の距離Ｌは、この距離Ｌの２倍の値２Ｌが、スライドベース４１の移動方向において隣り合うカセット１１ａ，１１ｂの各中心位置同士の間の距離に等しくなるように設定されている。
【００２１】
これによって、電動機５４により回転駆動されるクランク歯車５１の回転運動は、クランクロッド５３を介して、ガイドシャフト４２に沿ったスライドベース４１の直線往復運動に変換されるようになっている。
そして、この直線往復運動の両端の折り返し位置において、隣り合うカード繰出装置１２ａ，１２ｂのそれぞれがカード搬送装置１３に対向して配置される。すなわち、例えば図３に示すように、クランクロッド５３の他端５３ｂがクランク歯車５１に最も近接した時には、隣り合うカード繰出装置１２ａ，１２ｂのうちクランク歯車５１から最も離間したカード繰出装置１２ａが、カード搬送装置１３に対向するように配置され、一方、クランクロッド５３の他端５３ｂがクランク歯車５１から最も離間した時には、隣り合うカード繰出装置１２ａ，１２ｂのうちクランク歯車５１に最も近接したカード繰出装置１２ｂが、カード搬送装置１３に対向するように配置される。
【００２２】
本実施の形態によるカード発行装置１０は上記構成を備えており、次に、このカード発行装置１０を用いて、カードを発行する方法について添付図面を参照しながら説明する。なお、図５はカード発行装置１０を上方から見た簡略図であって、（ａ）はカセット１１ａからカードを発行する状態を示す図であり、（ｂ）はカセット１１ｂからカードを発行する状態を示す図である。
【００２３】
先ず、一方のカード繰出装置１２ａ内のカードを発行する際には、電動機５４によりクランク歯車５１を回転駆動して、クランクロッド５３の他端５３ｂがクランク歯車５１に最も近接するように配置する。これにより、図５（ａ）に示すように、スライドベース４１が、ガイドシャフト４２に沿ってクランク歯車５１に近接するように移動して、カード繰出装置１２ａがカード搬送装置１３に対向するように配置される。
そして、カセット１１ａが装填されたカード繰出装置１２ａから、一枚ずつカードが繰り出されて、カード搬送装置１３を介してカード読取・記録装置１４へと搬送される。
なお、カード読取・記録装置１４にてカードが例えば不良等と判定されると、このカードはカード読取・記録装置１４から排出されてカード搬送装置１３に戻される。そして、カード搬送装置１３は、下方に備えられたリジェクトボックス１６にカードを放出する。
【００２４】
次に、カード検出器１７にてカセット１１ａが空になったことが検出されると、再び、電動機５４によりクランク歯車５１を回転駆動して、クランクロッド５３の他端５３ｂがクランク歯車５１から最も離間するように配置する。これにより、図５（ｂ）に示すように、スライドベース４１が、ガイドシャフト４２に沿ってクランク歯車５１から離間するように移動して、他方のカード繰出装置１２ｂがカード搬送装置１３に対向するように配置される。
そして、カセット１１ｂが装填されたカード繰出装置１２ｂから、一枚ずつカードが繰り出されて、カード搬送装置１３を介してカード読取・記録装置１４へと搬送される。
【００２５】
上述したように、本実施の形態によるカード発行装置１０によれば、一方のカセット１１ａが空になった後に、他方のカセット１１ｂからカードの発行を行う場合のように、カセット１１ａ，１１ｂの切替が必要となる場合でも、最初に一度だけスライドベース４１を移動させて、カード搬送装置１３に対向して配置される一方のカード繰出装置１２ａの位置に、新たに、他方のカード繰出装置１２ｂを配置させるだけで良く、これ以降は、カセット１１ｂが空になるまでカード繰出装置１２ｂと、カード搬送装置１３との相対位置を変更する必要がなく、カードが直線的に移動させられることから、カードの発行に要する時間を短縮することができる。
しかも、繰出ユニット移動装置１５が作動するのは、カセット１１ａ，１１ｂの切替時のみであり、一枚ずつのカードを発行する毎に作動させる必要がないことから、故障等が発生する頻度を低減することができ、装置の耐久性を向上させて長寿命化に資することができる。
また、カード読取・記録装置１４から排出されたカードをリジェクトボックス１６に搬送する場合にも、例えばカード搬送装置１３がリジェクトボックス１６まで移動する必要がなく、下方に配置されたリジェクトボックス１６にカードを落下させるだけで処理が完了することから、迅速に、次のカードの発行動作に移行することができ、より一層、カードの発行に要する時間を短縮することができる。
【００２６】
さらに、繰出ユニット移動装置１５は、クランク歯車５１の回転運動をクランクロッド５３を介して、ガイドシャフト４２に沿ったスライドベース４１の直線往復運動に変換するだけの単純な構成であり、装置が複雑化することを防止して、装置の保守に煩雑な手間がかかることを防ぐことができる。
しかも、電動機５４により回転駆動されるクランク歯車５１が所定の一定速度で回転している場合であっても、スライドベース４１の直線往復運動の折り返し位置、すなわち、カード繰出装置１２ａ，１２ｂの何れか一方が、カード搬送装置１３に対向して停止させられる位置近傍では、クランク歯車５１が適宜の角度だけ回転する間にスライドベース４１が直線移動する距離の割合が最も小さくなっている。例えば、回転軸５１ｂとクランクロッド５３の一端５３ａとの間の距離Ｌに対して、クランク歯車５１が５度ずれたとしても、スライドベース４１のずれは、Ｌ（１−ｃｏｓ（５°））＝０．００３８Ｌ程度である。
従って、容易に、カード繰出装置１２ａ，１２ｂの停止位置の精度を向上させることができる。これにより、カード繰出装置１２ａ，１２ｂとカード搬送装置１３との間の所定の相対位置関係にずれが生じることを防止して、例えばカード詰まり等が発生することを抑制することができる。
【００２７】
なお、本実施形態においては、カード発行装置１０には２つのカセット１１ａ，１１ｂが装填されるとしたが、これに限定されず、３つ以上のカセット１１ａ，１１ｂ，…  が備えられていても良い。
なお、本実施形態においては、駆動機構４２はクランク歯車５１を備えており、このクランク歯車５１は２つの歯車５５ａ，５５ｂを介して電動機５４により回転駆動されるとしたが、これに限定されず、クランク歯車５１の代わりにプーリー等が備えられていても良く、この場合、プーリーはベルト等を介して電動機５４により回転駆動される。要するに、回転軸５１ｂに対して所定距離だけずれた位置にクランクロッド５３の一端５３ａが連結された回転部材であれば良い。さらには、駆動機構４２は、例えばボールねじやシリンダ等により構成されていても良く、スライドベース４１を直接、スライド移動させるものであっても良い。
【００２８】
なお、本実施形態においては、スライドベース４１にはガイドシャフト４２の延在方向に沿って移動可能とされた２つの嵌合部材４３，４３が設けられているとしたが、これに限定されず、ガイドシャフト４２の代わりに、例えばレール等が設けられていても良く、この場合、スライドベース４１には、レール上を移動可能な車輪等が設けられていれば良い。
また、本実施の形態においては、各カセット１１ａ，１１ｂが装填されたカード繰出装置１２ａ，１２ｂが、スライドベース４１の上面４１Ａに載置されるとしたが、これに限定されず、カード繰出装置１２ａ，１２ｂがカード発行装置本体１０ａに固定されて、各カセット１１ａ，１１ｂのみが直線移動可能とされていても良い。さらに、この場合、一つのカード繰出装置を、各カセット１１ａ，１１ｂで共通に使用しても良い。
【００２９】
また、カード搬送装置１３は省略されていても良い。この場合、例えばカード繰出装置１２ａ，１２ｂから、直接、カード読取・記録装置１４へとカードが供給される。
また、本実施の形態においては、リジェクトボックス１６はカード搬送装置１３の下方に配置されるとしたが、これに限定されず、例えば各カセット１１ａ，１１ｂやカード読取・記録装置１４等に隣接して配置されたり、各カセット１１ａ，１１ｂやカード読取・記録装置１４等に内蔵されていても良いし、その他の適宜の位置に配置されていても良い。さらに、これらの場合、カード搬送装置１３がリジェクトボックス１６まで移動しても良い。
なお、本実施形態においては、カードはＩＣカードであるとしたが、これに限定されず、例えば磁気カード等のその他のカードであっても良い。
【００３０】
【発明の効果】
以上説明したように、請求項１に記載の本発明のカード発行装置によれば、カセット内に収められたカードが無くなるまでカセット移動装置を作動させる必要が無く、カード発行に要する時間を短縮することができる。
しかも、カセットが移動する回数が少ないため、カセットとカード読取・記録装置側との相対位置を精度良く位置決めする作業の実施回数を低減して、煩雑な手間を省くことができると共に、カセット移動装置に故障等が発生する頻度を低減して、装置の寿命を向上させることができる。
さらに、請求項２に記載の本発明のカード発行装置によれば、単純な構成の装置で、容易に所望のカセットをカード読取・記録装置側に臨むように移動させることができる。
しかも、回転部材の回転運動が、クランクロッドを介して、スライドベースの直線往復運動に変換されているため、例えばボールねじ等によりカセットを移動させる場合のように、カセットが所定位置を超えて移動して、カセット移動装置から脱落等してしまうことを防ぐことができる。
さらに、請求項３に記載の本発明のカード発行装置によれば、容易に、カセットの停止位置の精度を向上させることができ、カセットとカード読取・記録装置側との間の所定の相対位置関係にずれが生じることを防止して、例えばカード詰まり等が発生することを抑制することができる。
さらに、請求項４に記載の本発明のカード発行装置によればカセットの交換を迅速に行うことができる。
【図面の簡単な説明】
【図１】  本発明の一実施形態に係るカード発行装置を上方から見た簡略図である。
【図２】  図１に示すカード発行装置の側断面図を簡略化して示す図である。
【図３】  繰出ユニット移動装置の内部を透視して示す平面図である。
【図４】  繰出ユニット移動装置の内部を透視して示す側面図である。
【図５】  図５はカード発行装置を上方から見た簡略図であって、（ａ）はカセットからカードを発行する状態を示す図であり、（ｂ）はカセットからカードを発行する状態を示す図である。
【図６】  従来技術の一例によるカード発行装置を上方から見た簡略平面図である。
【符号の説明】
１０  カード発行装置
１１ａ  カセット
１１ｂ  カセット
１２ａ  カード繰出装置（カード繰出手段）
１２ｂ  カード繰出装置（カード繰出手段）
１４  カード読取・記録装置
１５  繰出ユニット移動装置（カセット移動装置）
１７  カード検出器（検出装置）
１８  制御部
４１  スライドベース
４２  ガイドシャフト（ガイド部材）
４３  嵌合部材（係合部材）
５１  クランク歯車（回転部材）
５３  クランクロッド
【図１】
0004253965.tif 000002
【図２】
0004253965.tif 000003
【図３】
0004253965.tif 000004
【図４】
0004253965.tif 000005
【図５】
0004253965.tif 000006
【図６】
0004253965.tif 000007